(57)【要約】【課題】棟部材継手の傾斜連結部と傾斜棟部材との接合部に隙間やずれが生じず、接合部に違和感のない棟部材継手を提供する。【解決手段】方形屋根・寄棟屋根等における棟同士が交差する部位に設置される棟部材継手Ａであって、棟部材継手Ａの継手本体１には、傾斜棟部材Ｚに連結させる傾斜連結部３が下方に分岐延設されており、傾斜連結部３は、一定の勾配で下方に延びた連結基部５と、連結基部５の先端から下方に延設され弧状に形成されたアダプタ部４とよりなる。【選択図】図２
2011149172.tif 000002
【特許請求の範囲】
【請求項１】
方形屋根・寄棟屋根等における棟同士が交差する部位に設置される棟部材継手であって、
上記棟部材継手の継手本体には、傾斜棟部材に連結させる傾斜連結部が下方に分岐延設されており、
上記傾斜連結部は、一定の勾配で下方に延びた連結基部と、該連結基部の先端から下方に延設され弧状に形成されたアダプタ部とよりなることを特徴とする棟部材継手。
【請求項２】
請求項１において、
上記アダプタ部の表面には、切断用マークが付されている棟部材継手。
【発明の詳細な説明】
【技術分野】
【０００１】
本発明は、方形屋根・寄棟屋根等における傾斜棟と傾斜棟とが交差する部位、または水平棟と傾斜棟とが交差する部位に設置される棟部材継手に関する。
【背景技術】
【０００２】
一般に、寄棟屋根では、屋根頂上の水平棟に葺かれた水平棟部材と、この水平棟部材の端部から分岐された２つの傾斜棟に葺かれた傾斜棟部材とが交差する部分には棟部材継手が設置され、この棟部材継手を介して棟部材同士が連結されている。
【０００３】
なお、方形屋根では、前記水平棟部材は無く、屋根頂上から四方に分岐された４つの傾斜棟部材が設置されており、屋根頂上には、４つの傾斜棟部材に対応した棟部材継手が設置されている。
【０００４】
このような棟部材継手には、棟部材同士を連結するためにそれぞれの棟の勾配に応じた連結部（水平連結部、傾斜連結部）が形成されている。従来では、傾斜棟の種々の勾配に対応できるように、傾斜連結部の先端部を、複数の連続する段部でもって段階的に急勾配にした棟部材継手が提案されている（特許文献１参照）。このものによれば、傾斜棟の勾配に応じて先端部を切り取って勾配を調整すればよく、施工が簡易に行えるし、傾斜棟の勾配に対応して複数種類の棟部材継手を準備する必要がなく、製造及び在庫管理面での利便性も高い。
【先行技術文献】
【特許文献】
【０００５】
【特許文献１】特許公報４１２５３２３号公報
【発明の概要】
【発明が解決しようとする課題】
【０００６】
しかしながら、特許文献１の技術によれば、傾斜連結部の先端の勾配は段階的となっているので、傾斜棟の勾配が隣接する段部の勾配の中間に相当するような、実際の勾配が正しく段部の勾配に一致しない場合には、傾斜連結部と傾斜棟部材の接合部にわずかな隙間やずれができるおそれがある。
【０００７】
特にリフォームの場合には、勾配が新築時にくらべて変動していることが多く、その場合には、新築時に使用した棟部材継手と同一のものを使用することはできず、また勾配の再計測を実施する必要があり、施工手間が生じていた。
【０００８】
本発明は、このような問題を解決するために提案されたもので、その目的は、棟部材継手の傾斜連結部と傾斜棟部材との接合部に隙間やずれが生じず、接合部に違和感のない棟部材継手を提供することにある。
【課題を解決するための手段】
【０００９】
上記目的を達成するため、請求項１に係る棟部材継手は、方形屋根・寄棟屋根等における棟同士が交差する部位に設置される棟部材継手であって、前記棟部材継手の継手本体には、傾斜棟部材に連結させる傾斜連結部が下方に分岐延設されており、前記傾斜連結部は、一定の勾配で下方に延びた連結基部と、前記連結基部の先端から下方に延設され弧状に形成されたアダプタ部とよりなることを特徴とする。
【００１０】
請求項２に係る棟部材継手は、請求項１において、前記アダプタ部の表面には、切断用マークが付されていることを特徴とする。
【発明の効果】
【００１１】
本発明によれば、次のような効果がある。
請求項１に係る棟部材継手によれば、弧状に形成されたアダプタ部を有しているため、アダプタ部を所望の勾配で切断することで、傾斜連結部を施工対象である傾斜棟の勾配に一致した位置で切断して使用することができる。その結果、棟部材継手の傾斜連結部と傾斜棟部材との接合部に隙間やずれが生じるおそれはなく、傾斜連結部と傾斜棟部材とを違和感なく連結できる。
【００１２】
請求項２に係る棟部材継手によれば、上記アダプタ部の表面には、切断用マークが付されているので、切断する際の目安となり、切断位置を迅速に選定することができ、作業効率を更に高めることができる。
【図面の簡単な説明】
【００１３】
【図１】本発明に係る棟部材継手の使用状態の一例を示した斜視図である。
【図２】（ａ）は、同棟部材継手の斜視図であり、（ｂ）は、同概略側面図である。
【図３】（ａ）〜（ｄ）は、傾斜棟部材の勾配に対応した同棟部材継手の使用態様を示す概略側面図である。
【発明を実施するための形態】
【００１４】
以下、本発明に係る棟部材継手を図面とともに説明する。
【００１５】
図１は、本発明に係る棟部材継手の使用状態の一例を示した斜視図であり、図２（ａ）は、図１で示した棟部材継手の斜視図であり、図２（ｂ）は、同概略側面図である。なお、本実施形態では、寄棟屋根における棟部材継手についてのみ説明するが、方形屋根についても、略同様であるため、その説明は省略している。
【００１６】
一般に、寄棟屋根Ｓでは、前・後及び左・右の四方に向けて屋根材Ｙが傾斜して葺かれており、このうち、傾斜して前後方向に配設して葺かれた屋根材Ｙ１の棟（水平棟）の上には、これら屋根材Ｙ１の繋ぎ部材として、水平な水平棟部材Ｘが設置されている。
【００１７】
一方、傾斜して左右方向に配設して葺かれた屋根材Ｙ２と、屋根材Ｙ１の両端との会合部分（傾斜棟）とは、所定の傾斜角度（以下、「勾配」と呼ぶ。）によって傾斜しており、前記会合部分の繋ぎ部材として、斜め方向に傾斜された傾斜棟部材Ｚが設置されている。
【００１８】
本発明に係る棟部材継手Ａは、このような寄棟屋根Ｓにおける水平棟（水平棟部材Ｘ）と傾斜棟（傾斜棟部材Ｚ）とが交差する部位に設置されるものであり、以下、これを詳説する。
【００１９】
この棟部材継手Ａは、屋根材Ｙの材質に合わせた合成樹脂材料、粘土材料、セメント材料等によって一体成型されており、基材である継手本体１の一方には、水平棟部材Ｘに連結される水平連結部２を形成すると共に、他２方には、傾斜棟部材Ｚに連結される傾斜連結部３、３が形成されてなる。
【００２０】
本実施例では、傾斜棟が水平棟の端部から分岐される寄棟屋根を例示しているため、これに対応するように、継手本体１の他２方には、傾斜棟部材Ｚに連結される２つの傾斜連結部３、３が分岐して形成されたものを示しているが、傾斜棟部材Ｚが１つの場合には、その形状は、略「くの字」形状となり、又、傾斜棟部材Ｚが３つ以上の場合には、これに応じた形状に形成される。
【００２１】
この傾斜連結部３は、対象となる傾斜棟の勾配に応じて一定の勾配で下方に延びた連結基部５と、その連結基部５の先端から下方に延設され弧状に形成されたアダプタ部４とが一体的に形成されて構成されている。このアダプタ部４は、図２（ａ）（ｂ）に示すように、自転車の車輪の泥よけカバー様の形状をなすものである。
【００２２】
また、本実施例では、アダプタ部４には、略等間隔に５つのラインよりなる切断用マーク６を付しているが、その数や角度は限定されない。図２では５本の切断用マーク６を例示している。
【００２３】
図３（ａ）〜（ｄ）は、傾斜棟部材Ｚの勾配に対応した棟部材継手Ａの使用態様を示す概略側面図である。図３は、（ａ）〜（ｄ）の順で傾斜棟の傾斜角度を急勾配にした態様例を示している。
【００２４】
傾斜棟部材Ｚは、棟部材継手Ａ側に接合代Ｚａを備えており、この接合代Ｚａをアダプタ部４に内嵌させて棟部材継手Ａに連結する。
【００２５】
アダプタ部４は、図３（ａ）〜（ｄ）各図に示すように、設置された傾斜棟部材Ｚの勾配に合致する箇所で切断して使用すればよい。なお、図３（ｂ）〜（ｄ）中に示した破線は、複数の切断用マーク６で弧状に形成されたアダプタ部４を切断した際の傾斜棟部材Ｚとの位置関係を模式的に示した場合の仮想線であり、傾斜棟部材Ｚの勾配の相違を比較するために示したものである。
【００２６】
図３（ａ）は、傾斜棟部材Ｚの勾配が連結基部３の勾配に一致した例図であり、その場合には、アダプタ部４の全てを切り取った傾斜連結部３に傾斜棟部材Ｚを連結する。また、図３（ｂ）〜（ｄ）は、傾斜棟部材Ｚの勾配が順に急勾配となっている例を示している。
【００２７】
上述の如く形成された棟部材継手Ａによれば、傾斜棟の勾配に応じてアダプタ部４を所望の位置で切断して使用することができる。確実に傾斜棟部材Ｚの勾配に一致させて切断できるため、アダプタ部４と傾斜棟部材Ｚとの接合部に隙間やずれが生じず、傾斜連結部３と傾斜棟部材Ｚとを違和感なく連結させることができる。
【００２８】
アダプタ部４の表面には、切断用マーク６が付されているので、切断する際の目安となり、切断位置を迅速に選定することができ、作業効率を更に高めることができる。また、各切断用マークの近傍に、そのマークに対応した傾斜角度を併記すればさらに便利である。
【符号の説明】
【００２９】
Ａ  棟部材継手
１  継手本体
２  水平連結部
３  傾斜連結部
４  アダプタ部
５  連結基部
６  切断用マーク
Ｓ  寄棟屋根（方形屋根・寄棟屋根等）
Ｘ  水平棟部材
Ｙ  屋根材
Ｚ  傾斜棟部材
Ｚａ  接合代
【図１】
2011149172.tif 000003
【図２】
2011149172.tif 000004
【図３】
2011149172.tif 000005